(57)【要約】      （修正有）【課題】人が持ち運び可能な開放型の飲料用水素水生成用のポットを提供する。【解決手段】水素水生成用ポット１００は、基本的に、内部の透視が可能な、水又は水を主成分とする液体を収容部空間を備えた容器本体１０１と、容器本体１０１に、容器本体１０１の下端部で着脱自在に装着される下部容器１０２とから構成され、容器本体１０１の下部上層の中央部に構成した逆止め弁２３を備えたガス通路２４と、容器本体１０１の下部下層に構成した水素発生剤２５を収納する薬槽２６と、容器本体１０１の上部に構成した吐出口部２７と、吐出口部２７に着脱自在に外装する蓋体部を備える。また、多孔性の無機材気泡微細化部３０を備え、多孔性の無機材気泡微細化部３０が容器本体１０１の底部面中央部に設置されたことを特徴とする。【選択図】図６
0003197613.tif 000002
【実用新案登録請求の範囲】
【請求項１】
内部の透視が可能な、水又は水を主成分とする液体を収容する内部空間を備えた容器本体と、該容器本体に装着される、水と反応して水素ガスを発生する水素発生剤を収納する薬槽と、を備えて構成される人が持ち運び可能な飲料用水素水生成用のポットにおいて、
容器本体は、外部部材に固定されず、水頭方向に筒状をなし、下端部に、下部ブロックが固定されて水あるいは水を主体とした液が収容可能とされ、発生した水素ガスが液に拡散されて水素水が生成され、上端に、容器本体内を密封にして発生した水素ガスを容器本体内に保持する蓋体が装着されず、上端が開放孔とされ、持ち運び時に傾けることで該開放孔から生成された水素水の流出を可能とした開放型に形成されたこと
を特徴とする人が持ち運び可能な開放型の飲料用水素水生成用のポット。
【考案の詳細な説明】
【技術分野】
【０００１】
本考案は、自由に、かつ簡便に、いつでもどこでも、飲料水、コーヒー、紅茶又は緑茶等の水を主成分とする種々の液体に水素を含有させた水素水を生成し、飲用することができる飲料用水素水生成用ポットに関する。  
【背景技術】
【０００２】
本件実用新案登録出願人は、先に特許文献１に示される携帯用の水素水生成用ポットについて特許出願を行い、特許を得た。
【０００３】
特許文献１には、
内部の透視が可能な、水又は水を主成分とする液体を収容する容器本体と、  
前記容器本体の下部上層に構成した、下部下層の薬槽内で発生した水素ガスを前記容器本体の内部の水又は水を主成分とする液体中に溶解させるべく送り込むための逆止め弁を備えたガス通路と、
前記容器本体の下部下層に構成した、水と反応して水素を発生する水素発生剤を収納する前記薬槽と、
前記容器本体の上部に構成した吐出口部と、
前記吐出口部に着脱自在に外装する蓋体と、
で構成した携帯用の水素水生成用ポットが記載されている。
【０００４】
特許文献２には、気体を多孔質体又は多孔板を通じて液体中に吹き込むことによって液体中に微細化気泡を生成させることが記載されている。
【先行技術文献】
【特許文献】
【０００５】
【特許文献１】特許第５４６２４２６号
【特許文献２】特開２００３−９３９５８号公報
【考案の概要】
【考案が解決しようとする課題】
【０００６】
本件考案者等は、特許文献１に示されるように、先の特許発明で前記従来技術の問題点を解決し、ミネラル水や水道水等の飲料水に限らず、コーヒー、各種ジュース類又は茶類等の水又は水を主成分とする液体を原水として、高濃度の飲料用水素水を、いつでも、かつどこにおいても、短時間で生成することができる携帯用の水素水生成用ポットを提供することを解決した。
【０００７】
特許文献２に記載されるように、一般的に気泡を微細化する技術は公知である。ここの記載された水素水生成装置は、空気の清浄方法に用いられるような曝気槽を形成するような大型で、固定された形態のものである。このようなタイプにあっては、曝気槽を軽量化するニーズはない。持ち運び可能な気泡を微細化するものにあっては、振盪させて拡散させることを想定して製作され、人が持ち運び可能な飲料用水素水生成用ポットは、蓋が付着された、閉鎖型の飲料用水素水生成用ポットとされ、その分重量が増すものとなっていた。
【０００８】
本考案は、かかる点に鑑みて人が持ち運び可能な水素水生成用ポットであって、開放型の飲料用水素水生成用ポットとして軽量化の図ることを目的とする。
【課題を解決するための手段】
【０００９】
本考案は、内部の透視が可能な、水又は水を主成分とする液体を収容する内部空間を備えた容器本体と、該容器本体に装着される、水と反応して水素ガスを発生する水素発生剤を収納する薬槽と、を備えて構成される人が持ち運び可能な飲料用水素水生成用のポットにおいて、
容器本体は、外部部材に固定されず、水頭方向に筒状をなし、下端部に、下部ブロックが固定されて水あるいは水を主体とした液が収容可能とされ、発生した水素ガスが液に拡散されて水素水が生成され、上端に、容器本体内を密封にして発生した水素ガスを容器本体内に保持する蓋体が装着されず、上端が開放孔とされ、持ち運び時に傾けることで該開放孔から生成された水素水の流出を可能とした開放型に形成されたこと
を特徴とする人が持ち運び可能な開放型の飲料用水素水生成用のポットを提供する。 
【考案の効果】
【００１０】
本考案によれば、上端に、生成された水素ガスの収容液への拡散時に固着蓋体が装着されず開放孔とされて容器本体を傾けることで該開放孔から生成された水素水の取り出しが可能とされて容器本体全体として軽量化された開放型に形成された、人が持ち運び可能な水素水生成用ポットが提供される。
【図面の簡単な説明】
【００１１】
【図１】実施例１の携帯用の飲料用水素水生成用ポットの縦断面図。
【図２】実施例１の携帯用の飲料用水素水生成用ポットの分解縦断面図。
【図３】実施例１の携帯用の飲料用水素水生成用ポットの右側面図。
【図４】実施例１の携帯用の飲料用水素水生成用ポットの下蓋の平面図。
【図５】実施例１の携帯用の飲料用水素水生成用ポットの下部上層ブロックの平面図。
【図６】実施例２の携帯用の飲料用水素水生成用ポットの縦断面図。
【図７】実施例２の携帯用の飲料用水素水生成用ポットの分解縦断面図。
【図８】実施例２の携帯用の飲料用水素水生成用ポットの正面図。
【図９】実施例２の携帯用の水素水生成用ポットの下部上層ブロックの平面図。
【図１０】実施例２の携帯用の飲料用水素水生成用ポットの下蓋の平面図。
【図１１】実施例３の携帯用の飲料用水素水生成用ポット主要部の縦断面図。
【考案を実施するための形態】
【００１２】
本考案を実施するための形態を、三つの実施例に基づいて、図面を参照しながら詳細に説明する。
【実施例１】
【００１３】
図１〜図５は、実施例１の形態を示す。図１（a）は、実施例１の主要部の形態を示す図であり、図１（b）は、その変形例を示す図である。以下の説明では、図１（a）が説明に用いられるものとし、必要に応じて図１（ｂ）が説明される。
【００１４】
この実施例１の携帯用の水素水生成用ポット１００は、図１〜図３に示すように、基本的に、内部の透視が可能な、水又は水を主成分とする液体を収容する内部空間を備えた容器本体１０１と、容器本体１０１に、容器本体１０１の下端部で着脱自在に装着される下部容器１０２とから構成される。容器本体１０１に、容器本体１０１の上端部で着脱自在に装着される蓋体は、用いられない。すなわち、容器本体１０１は、上端が開放状態で水素水の生成がなされる。容器本体１０１の上端部で着脱自在に装着される蓋体は、用いられないが、容器本体１０１へのゴミが浸入することを防止するために上端にキャップ９を載置しておくことができる。このようなキャップ９は、多少の重量を備えたものであってもよいが、ゴミの浸入防止のために主に用いられ、容器本体１０１内の圧力を増大させたり、水素ガスを包含した容器本体１０１を振盪させたりして水素ガスの溶解を増大させることは期待されず、あるいはほとんど寄与せず、容器本体１０１と別体とされ、あるいは圧力で開放される構造とされ、容器本体１０１の密封を形成するものではない。ここでは、このような容器本体１０１の状態を容器本体１０１が、蓋体が装着されず上端が開放状態とされる形態と呼ぶ。
【００１５】
人が持ち運び可能な水素水生成用ポットの典型的例が、実施例１の携帯用の水素水生成用ポット１００であり、これ以外にも容器本体１０１が外部部材に固定されず、フリー形態とされて自由の持ち運びできるようにしたポットが含まれる。
【００１６】
容器本体１０１は、その形状を上端部が絞り込んだ孔形状とし、その内面あるいは外面に収容する水の適量水位を表示しておくと水素水を持ち運びながら作成するときにこぼれ出ることを防止することが出来て、便利である。
【００１７】
実施例１の携帯用の水素水生成用ポット１００は、容器本体１０１と、この容器本体１０１の下部上層に構成した定量給水手段２と、同じく該容器本体１０１の下部上層に構成した、逆止め弁３を備えたガス通路４と、容器本体１の下部下層に構成した水素発生剤５を収納する薬槽６とを備える。
【００１８】
この携帯用の水素水生成用ポット１００は、多孔性の無機材気泡微細化部３０を備える。この多孔性の無機材には、撥水性の無機材を用いることができるが、発生性無機材に限定されない。
【００１９】
容器本体１０１は、図１〜図３に示すように、透明なプラスチックで作成した円筒状部材１ａと、その底部である下部上層を構成する下部上層ブロック１ｂと、下部下層ブロックである、薬槽６を構成した下蓋１ｃと、上部の吐出口ブロックからなる前記吐出口部７とで構成したものである。下部上層ブロック１ｂは、容器本体１０１に固定され、下部下層ブロックは、下部容器１０２になる。
【００２０】
下部上層ブロック１ｂは、図１及び図２に示すように、基本的に、円筒状部材１ａと同外径の短円柱状の部材であり、その上部外周を切り欠いて、円筒状部材１ａの内径とほぼ一致する外径の連結小径部１ｂ１を構成してある。同図に示すように、円筒状部材１ａの下部を連結小径部１ｂ１に外装し、容器本体１０１の底部の下部上層を構成する。
【００２１】
円筒状部材１ａの下部と連結小径部１ｂ１との嵌合結合部は接着剤で固定する。また下部上層ブロック１ｂの下部もその外周部を切り欠いて小径部を形成し、その外周にねじを切って、下蓋１ｃの連結雌ねじ部１ｃ１と螺合する連結雄ねじ部１ｂ２を形成しておく。
【００２２】
下部上層ブロック１ｂの下面にはフィルタ抑え１０をその中に配するための後記隙間空間を形成する凹部１ｄを構成しておく。また下部上層ブロック１ｂの内部には、詳細は後述する、定量供給手段２及び逆止め弁３を備えたガス通路４を構成する。
【００２３】
下部容器１０２の下蓋１ｃは、図１〜図３に示すように、基本的に、円筒状部材１ａと同外径の平面視円形の薄型部材で、その周縁に沿って立ち上げた周側部内面にねじを切って、下部上層ブロック１ｂの下部外周の連結雄ねじ部１ｂ２に螺合する連結雌ねじ部１ｃ１を形成しておく。
【００２４】
下部上層ブロック１ｂ、下部下層である下蓋１ｃ及び吐出口部７である吐出口ブロックは、円筒状部材１ａと同様に、この実施例１では、透明のプラスチック材で作成する。またこの実施例１では、容器本体１０１の底面を構成する下部上層ブロック１ｂの上面から吐出口部７を構成する吐出口ブロックの下端までの範囲で３５０ｍｌの水を収容することができる容量にしてある。言うまでも無く、この容量に限定される訳ではない。
【００２５】
定量給水手段２は、図１及び図２に示すように、下部上層ブロック１ｂの中央部に構成した、容器本体１０１の内部空間と下蓋１ｃに構成した薬槽６内とを連通する給水路２ａと、給水路２ａ内の若干上部の位置に配した、定量切欠部２ｂｈを有する球体２ｂと、球体２ｂを回転操作する摘まみ（操作手段）２ｃとで構成したものである。
【００２６】
給水路２ａは、図１及び図２に示すように、下部上層ブロック１ｂの中央部に上下貫通する穴として構成したものである。最上部の小径導入口２ａ１と、その直下に構成したこれより若干大径の弁座配置部２ａ２と、該弁座配置部２ａ２の直下から最下部まで延びる、球体２ｂと同径に構成した大径組み込み穴２ａ３とからなる。大径組み込み穴２ａ３の最下部内周には、上部に弁座配置部２ｅ１を備えた下部抑え部材２ｅの外周の雄ねじ２ｅ３を螺合するための雌ねじ部２ａ３１が形成してある。
【００２７】
この給水路２ａの弁座配置部２ａ２には、最上部の小径導入口２ａ１と同径の貫通孔を有する上弁座２ｄ１を配し、その直下にこれに当接状態で前記球体２ｂを配し、更にその下方の大径組み込み穴２ａ３に、上部の弁座配置部２ｅ１に下弁座２ｄ２を配置した下部抑え部材２ｅを配置し、球体２ｂを、上方の上弁座２ｄ１と下方の下弁座２ｄ２とで回転可能な状態で密に支持する。下部抑え部材２ｅは、言うまでもなく、その下部外周の雄ねじ２ｅ３を、該大径組み込み穴２ａ３の最下部外周の雌ねじ部２ａ３１に螺合してその位置に固定する。
【００２８】
下部抑え部材２ｅは短円筒状部材であり、その下部外周に、給水路２ａの大径組み込み穴２ａ３の雌ねじ部２ａ３１に螺合する雄ねじ２ｅ３を備え、内側には、小径導入口２ａ１と同径の貫通孔２ｅ２が上下貫通状態に形成してあり、最上部には、貫通孔２ｅ２より大径の前記弁座配置部２ｅ１が構成してある。また下弁座２ｄ２は、その中央部に、上弁座２ｄ１と同様の径、すなわち、小径導入口２ａ１と同径の貫通孔が開口してある。  
給水路２ａとしては、球体２ｂの上方では、実質的には、それぞれ小径導入口２ａ１と給水路２ａ内に配置した上弁座２ｄ１の貫通孔が機能している。また球体２ｂの下方では、それぞれ給水路２ａ内に配置した下弁座２ｄ２の貫通孔と下部抑え部材２ｅの貫通孔２ｅ２とが実質的な給水路として機能している。
【００２９】
球体２ｂには、図１及び図２に示すように、定量切欠部２ｂｈが開口してある。この定量切欠部２ｂｈは、この実施例１では、約２．５ｃｃの容量の方形の切欠に構成したものであり、常態で上向き、すなわち、該容器本体１０１の容体側に開口し、必要時に、球体２ｂを、その中心をとおり、かつ容器本体１０１の長さ方向に直交する軸を中心として１８０度回転させることで、薬槽６側に開口状態とすることができるようにしたものである。なお、定量切欠部２ｂｈの容量は、約２．５ｃｃに限定されるわけでないのは言うまでも無い。
【００３０】
摘まみ２ｃは、図１〜図３に示すように、球体２ｂに、その中心をとおり、かつ容器本体１０１の長さ方向に直交する軸を中心とする軸体を結合し、その先端に結合した回転操作のための操作手段であり、下部上層ブロック１ｂの側方に開く操作用開口部１ｂ３内に位置させてあるものである。
【００３１】
ガス通路４は、図１、図２及び図５に示すように、容器本体１０１の内部と薬槽６の内部とを繋ぐべく下部上層ブロック１ｂ中に構成した通路であり、この実施例１では、給水路２ａを中心として三セットに構成したものである。三つのガス通路４は、下部上層ブロック１ｂの周側に沿って相互に９０度の角度間隔又は１８０度の角度間隔で構成してある。各ガス通路４の上部には、図１及び図２に示すように、大径の弁配置部４ａが構成してあり、この弁配置部４ａに逆止め弁３を配置する。各ガス通路４の最上部は、下部上層ブロック２１ｂの上面に開口している。弁配置部４aの最上部には、中央に小径の小孔４bhを開口した仕切り板４bを固設してある。
【００３２】
逆止め弁３は、図１及び図２に示すように、弁配置部４ａの下部に固定する円筒状基部３ａとその上端から上方に向かって円錐状に延びるプラスチック性の弾性弁部３ｂとからなり、下方から一定圧を越えるガス圧が掛かると、弾性弁部３ｂの先端が開いて該ガスが上方に向かって通過可能であり、他方、上方から前記容器本体１０１中の水等による水圧が掛かっても開かないように構成された弁部材である。一定圧を越えるガス圧は、薬槽に設置された薬剤である水素発生剤とミネラル水との化学的結合による水素ガスの発生によって生じる。
【００３３】
この例では、プラスチック性の弾性弁部３bを備えた逆止弁３を用いているが、逆止弁としてはこの構造のものに限定されない。例えば、スプリングコイルばねと閉止部からなり、一定の圧力がかかった時に閉止部が開放する構造の逆止弁であってもよいし、他の構造のものであってもよい。
【００３４】
多孔性の無機材気泡微細化部３０は、多孔性の無機材３１とこれを内部で保持する保持容器３２とで構成され、水平方向に広がりを持つように形成され、下部ブロックの上面に接触して固定される。固定には、固定用に樹脂を使用出来るが、他の手段であってもよい。
【００３５】
多孔性の無機材気泡微細化部３０は、下部ブロックの上面で気泡生成機能と気泡を微細化する機能を備える。金属製の多孔性の無機材は、長年の使用を考慮した時に腐食の問題が生じる恐れがあるので、腐食性の金属製の無機材の使用は避けるのがよい。保持容器３１は、断面が、図に示すように矩形状であって、典型的には板状の長方体として形成することができる。長方体でなくても、容器本体１０１の内周面に沿う形で扇状形態断面を有するようにして形成することができる。
【００３６】
保持容器３１には、上側および下側にそれらの略全面に空いたガス孔３３，３４が形成される。側面にはガス孔が設けられていないが、設けてもよい。
【００３７】
多孔性の無機材３１は、板状に形成される。多孔性の無機材３１は、典型的には平板状とされ、保持容器３１の内部空間部に横長にして設置され、下部上層ブロック１ｂ上に 固定される。平板状でなく、曲面状、例えば中央を高くした形態としてもよいが、横方向に対して、すなわち容器本体１０１内部空間の横方向広がりに沿って下部上層ブロック１ｂ上に設置され、接着剤によって固定される。このような形状を本実施例では、板状と呼ぶ。容器本体１０１を形成する下部上層ブロック１ｂ上に設置することで、設置するに際して特別の部品を要せず、構造簡単に設置し、拡散距離を確保することができ、横方向の広がり面積は、従前の先願の従前の例で示したガス噴き出し孔の小孔断面面積に比べてはるかに大きいものとなる。
【００３８】
多孔性の無機材３１の材質としては、セラミックス材、ガラス材あるいはプラスチック材などの多孔質の無機材が使用される。セラミックス材の典型的な例として、アルミナ多孔質材が好ましく選択される。アルミナ多孔質材は、気泡の粗大化を抑制し、微細な気泡を液中に分散させるに最適である。微細化を効果的に行うために、気孔の孔径は、数μｍ〜１００μｍ程度の範囲とすることが好ましい。
【００３９】
無機質粒子とこの無機質粒子を結合させるガラスーセラミックス無機質接着剤とにより構成された燒結体を用いることができる。ガラスあるいは樹脂を多孔質に燒結したものでもよい。
【００４０】
セラミックスとしては、アルミナ、ジルコニア、窒化アルミニウム、炭化ケイ素、窒化ケイ素、フォルステライト、ステアタイト、コーデイエライト,再アロン、マシナブルセラミックス、ジルコン、チタン酸バリウム、フエライト、ムライト等を使用することができる。
【００４１】
樹脂としては、低密度ポリエチレン、高密度ポリエチレン、エチレンー酢酸ビニル共重合体、ポリアミド、ポリメタクレート、ポリスチレン、ＡＳ樹脂、ＡＢＳ樹脂、ポリプロピレン、ポリカーボネート、ポリ塩化ビニル、フッ素樹脂、ポリフッ化美に李電等を使用することができる。樹脂からなる燒結体は、公知の製造方法みより製造することが出来る。例えば、乳化重合又は粉砕により得られた樹脂微粒子を金型に充填し、加熱して樹脂微粒子同士の表面を融着させた後、冷却する方法を適用して製造することが出来る。
【００４２】
ガラス材としては、宮城県工業試験場が開発したシラスを主原料としたシラス多孔質ガラスを使用することができる。
【００４３】
仕切り板４ｂに設けられた小孔４bhは、逆止弁３と協同して多孔性の無機材気泡微細化部３０から漏洩してきたミネラル水が逆止弁側に洩れ出ていくことを阻止する機能を有するが、完全に阻止できるわけではない。逆止弁側に漏洩したミネラル水は逆止弁４で止められ、薬槽６に流れ出ることはない。  小孔４bhは、設けられなくてもよい。その例が、図１（b）に示される。
【００４４】
この例では、多孔性の撥水性無機材３１が用いられているが、多孔無機材であってもよい。以下、多孔性の撥水性無機材３１を例に採って説明する。多孔性の撥水性無機材３１は、容器本体１０１に収納されたミネラル水を撥水して通過させることがなく、水素ガスは通過させることができるが長年の使用で性能が劣化して、ミネラル水が多孔性の撥水性無機材３１を通過するが、逆止弁４によって阻止され、薬槽６にミネラル水が到達することがない。多孔性の撥水性無機材３１が用いられた場合にあっても、実施例１に示すと同様に、４bhを設けておくことができる。
【００４５】
撥水性無機材については、次に示す文献等に記載されている。
【００４６】
特開２００２−３２８２号公報、特開２０１１−１１６５８５公報には、撥水性を有するセラミックスが記載されている。
【００４７】
特開平９−８７４０２、特開平８−２４５７２３号公報には、撥水性樹脂およびその製造方法が記載されている。
【００４８】
特開２００６−１３１８７５号公報には、撥水性無機粉体又は撥水性無機粉体の製造方法が記載されている。
【００４９】
また、食品衛生上で安全な撥水性ガラスが報告されている。例えば、ナノグラスコート（登録商標）がある。
【００５０】
このように、下部ブロックが、薬槽と容器本体の内部空間とに連通するガス通路が形成されおよびガス通路に設置された逆止弁を備え、下端面が下部ブロック上面上に接触し、かつ薬槽から導出された水素ガスを、逆止弁を介して板状に形成された多孔性の無機材を通過させ、微細化された水素ガス気泡からなる水素ガス流を形成する多孔性の無機材気泡微細化部を備える。あるいは、下部ブロックが、薬槽と容器本体の内部空間とに連通するガス通路が形成されおよびガス通路に設置された逆止弁を備え、上面が下部ブロック上面から露出して埋設され、かつ薬槽から導出された水素ガスを、逆止弁を介して板状に形成された多孔性の無機材を通過させ、微細化された水素ガス気泡からなる水素ガス流を形成する多孔性の無機材気泡微細化部を備える。
【００５１】
そして、容器本体に液体が収納され、薬槽に水素発生剤が収納され、薬槽に水が加えられることで水素ガスが発生され、水素ガスが逆止弁を介して下部ブロックに設けられ、容器本体内にガス通路が延長されることのないガス通路から直ちに多孔性の無機材気泡微細化部に導かれて微細化された水素ガス気泡とされ、微細化された水素ガスが容器本体の上端が開放状態無圧下で前記容器に収納された液体中に拡散されることになる。
【００５２】
多孔性の無機材が、多孔性のセラミックス材、ガラス材あるいは樹脂材によって形成される。
【００５３】
多孔性の無機材は、多孔性の撥水性無機材であってもよい。
【００５４】
下部ブロックに上端面に露出するようにして小孔が形成され、小孔から直ちに無機材気泡微細化部に水素ガスが導出されるようにしてもよい。
【００５５】
無機材気泡微細化部が、薄い平板状に形成され、液体に接する面積が該面積に接する前記内部空間内部断面積は、実施例１の場合、１０〜９０％、実施例１の場合、５〜９５％で、好ましくは、２０〜５０％を占める水素水生成用のポットを構成することができる。
【００５６】
薬槽６は、図１、図２及び図４に示すように、下蓋１ｃの内面中央部に平面視正方形の凹部に構成したものである。このサイズ、すなわち、縦横の辺の長さ及び深さは、この中に納める前記水素発生剤５のサイズに対応させ、それより僅かに大きく構成する。なお、図１及び図２に示すように、下蓋１ｃは、その周側部内面の連結雌ねじ部１ｃ１で前記下部上層ブロック１ｂの下部外周の連結雄ねじ部１ｂ２に螺合して、下部上層ブロック１ｂの下部に取り付けるものであるが、下部上層ブロック１ｂの下面側には、凹部１ｄが構成してあるため、このような取り付け状態で、薬槽６の周囲の上面と、該下部上層ブロック１ｂの底面（前記凹部１ｄの上面）との間に一定の隙間空間が空くことになる。このように凹部１ｄによって空いた上記一定の隙間空間にフィルタ抑え１０を配する。
【００５７】
フィルタ抑え１０は、図１及び図２に示すように、中央に、下部上層ブロック１ｂの下面中央に開く下部抑え部材２ｅの貫通孔２ｅ２を下蓋１ｃの薬槽６に繋ぐ連通孔１０ｈを開口し、連通孔１０ｈの周側下面には、その一部が薬槽６側に向いて下向きに開き、他の一部に３つのガス通路４に繋がる開口を有する、円環状のフィルタ収納部１０ａを形成した平板状部材である。フィルタ収納部１０ａは、薬槽６で発生した水素ガスを通過させ、他方、薬槽６に収容した水素発生剤５等の異物が３つのガス通路４側に移動しないように規制するフィルタ１１を収容するための空間である。
【００５８】
フィルタ抑え１０の上面には、３つのガス通路４と連通する開口部の外側と内側にｏリングを嵌合するための環状溝１０ｂ、１０ｃが形成してある。
【００５９】
蓋体部９は、図１〜図３に示すように、テーパー状に広がる下部と円筒状に立ち上がる上部とからなる。テーパー状の下部のうちのほぼ半分ほどは、容器本体１０１の吐出口ブロックの上細りの円錐状部及び段差部をカバーするスカート部９ｂとなり、それより上部の内周には、吐出口部７を構成する上部ブロックの小円筒部７ｂの外周の結合雄ねじ７ｃと螺合する結合雌ねじ９ａが形成してある。この蓋体部９の中央部には、図１及び図２に示すように、容器本体１０１内の気圧を一定以上、この実施例１では２気圧以上にならないように保持する減圧弁８が構成してある。また蓋体部９を吐出口部７に取り付けた場合に、蓋体部９の前記小円筒部７ｂの上端と当接することとなる部位にＯリングを挿入配置する環状溝９ｈが形成してある。
【００６０】
減圧弁８は、図１及び図２に示すように、蓋体部９の中央で内側に向かって下向きに開く取付穴８ａと、取付穴８ａの上端中央から外気に連通するより小径のリーク孔８ｂと、下端中央に内外を貫通する弁孔８ｃ１を開口した取付筒８ｃと、取付筒８ｃの最下部に弁孔８ｃ１を閉じる態様で装入した弁球８ｄと、弁球８ｄを弁孔８ｃ１側に押圧する圧縮コイルバネ８ｅとからなるものである。取付穴８ａの内周面には雌ねじが、取付筒８ｃの外周には、取付穴８ａの内周面の雌ねじと螺合し得る雄ねじが、それぞれ形成してあり、減圧弁８は、弁球８ｄ及び圧縮コイルバネ８ｅを装入配置した取付筒８ｃを取付穴８ａにねじ込み固定して構成するものである。なお、圧縮コイルバネ８ｅは、以上のように、取付筒８ｃを取付穴８ａにねじ込み固定すると、その上端が取付穴８ａの上端に当接し、その下端で弁球８ｄを下方に押圧できる状態になる。
【００６１】
水素発生剤５は、水と反応して水素ガスを発生する種々のそれを自由に採用することができる。できるだけ短時間で反応が進むタイプのそれが好ましい。この実施例１では、アルミニウムと酸化カルシウムとマグネシウムとの混合物を採用した。
【００６２】
若干詳しく述べると、この水素発生剤は、いずれも微粉末状のマグネシウム（Ｍｇ）とアルミニウム（Ａｌ）と酸化カルシウム（ＣａＯ）とを混合して構成したものであり、全体として１ｇのそれを水及びガスを通過させる包装に納めた態様のものである。
【００６３】
水素発生剤５は、水が加えられると、酸化カルシウムが水と反応して発熱し、その後、水酸化カルシウムを生成する。微粉末状のアルミニウムも水と反応して水酸化アルミニウム及び水素を生成し、発熱する。なお、微粉末状のアルミニウムは、前記水酸化カルシウムの生成によって、加えられた水が塩基性の水溶液になると、水と反応して水酸化アルミニウム及び水素を発生する別の反応も生じると思われる。こうして加えられた水が高温になると、マグネシウムは、当該高温の水と反応して水酸化マグネシウム及び水素を生成する。以上のようにして、この水素発生剤５は、水の添加を受けると、大量の水素ガスを発生する。
【００６４】
従って実施例１の携帯用の水素水生成用ポットによれば、水素水を作成する場合は、まずその薬槽６に水素発生剤５を充填し、容器本体１０１中に水又はコーヒー等の水素水にすることを希望する水又は水を主成分とする液体を入れる。実施例１では、ミネラル水を入れた。
【００６５】
水素発生剤５は、容器本体１０１の下部の下蓋１ｃを外してその上面の薬槽６中に装入し、その上で、再度下蓋１ｃを容器本体１０１の下部の下部上層ブロック１ｂの下部に取り付ける。これは、言うまでも無く、下部上層ブロック１ｂの連結雄ねじ部１ｂ２に下蓋１ｃの連結雌ねじ部１ｃ１を螺合解除又は螺合することによって行う。またミネラル水は、蓋体部９を容器本体１０１の吐出口部７から取り外し、露出した吐出口部７を構成する吐出口ブロックの小円筒部７ｂの上端開口から注入する。その後、蓋体部９を、同様に、吐出口部７に外装する。蓋体部９は、その結合雌ねじ９ａを小円筒部７ｂの外周の結合雄ねじ７ｃに螺合することで、外装状態を固定する。
【００６６】
水素水の作成は、この後いつでもできるが、飲用を希望する時点になってから行うのが適当である。
【００６７】
水素水を作成する場合は、定量給水手段２の摘まみ２ｃを１８０度回転させて、容器本体１０１内のミネラル水の一定量を薬槽６中に注入し、その中の水素発生剤５と反応させる。容器本体１０１中のミネラル水は、前記給水路２ａの上部側、詳細には、小径導入路２ａ１及び上弁座２ｄ１の貫通孔を通じて球体２ｂの定量切欠部２ｂｈ中にも進入しており、摘まみ２ｃを１８０度回転させると、ミネラル水の入っている定量切欠部２ｂｈは、容器本体１０１の内部側から前記薬槽６側に向きを変え、その中に入っている一定量（この実施例１では約２．５ｃｃ）のミネラル水を給水路２ａの下部側、詳細には、下弁座２ｄ２の貫通孔及び下部抑え部材２ｅの貫通孔２ｅ２並びにフィルタ抑え１０の連通孔１０ｈを通じて薬槽６中に注入することになる。
【００６８】
このように薬槽６中にミネラル水が注入されると、これに充填されている水素発生剤５がその水と急速に反応して水素ガスを発生することになる。これに伴って、ガス圧を発生させる。ここで発生した水素ガスは、薬槽６、下弁座２ｄ２の貫通孔、下部抑え部材２ｅの貫通孔２ｅ２、及び３つのガス通路４、ガス通路４に設けた３つの逆止め弁３より下方側に充満することになるが、水素ガスの引き続く発生により、その中のガス圧が一定圧を越えるに至ると、水素ガスは、３つの逆止め弁３を通じて各ガス通路４の上方側に移動し、多孔性の無機材拡散部３０で微細化されて各ガス通路４が繋がる容器本体１０１中のミネラル水中をこれに徐々に溶解しながら残余のそれが浮上して行くことになる。
【００６９】
薬槽６とガス通路４との間には、フィルタ抑え１０のフィルタ収納部１０ａに保持されたフィルタ１１が介在しており、以上のような水素ガスの移動は、このフィルタ１１を通じて行われる。それ故、薬槽６中の水素発生剤５の粉末等が、その包装が破損する等により、その包装外に出てくるようなことがあっても、容器本体１０１内に流れ込んでしまうようなおそれはない。
【００７０】
またこのような水素ガスの発生に関しては、携帯装置として作成できるレベルでは、水素発生剤５の性質にもよるが、水との反応は、水の電気分解によるよりは短時間で行われ、多量の水素ガスをスピーディに発生させることが可能であり、この実施例１では、摘まみ２ｃを１８０度回転させて、約２．５ｃｃのミネラル水を薬槽６側に注入すると、その時点から約３分の時間の経過で十分な量の水素ガスを発生させることができる。
【００７１】
こうして発生させた水素ガスは、逆止め弁４、多孔性の無機材気泡微細化部３０を介して容器本体１０１中に移動し、その中のミネラル水に溶解しながら、その中を浮上し、溶解しなかった残余の水素ガスは、容器本体１０１中のミネラル水の上面上に形成される空間に移動することになる。この空間の水素ガス等の圧力は、こうして徐々に上昇することになるが、容器本体１０１を壊すことはない。多孔性の無機材を備えた無機材気泡微細化部３０は、微細化された水素ガスの気泡を生成する機能を備える。
【００７２】
また、定量給水手段２の摘まみ２ｃによる給水操作時点から十分に水素ガスが発生したと判断できる時間、すなわち、前記３分の時間の経過後に、前記容器本体１０１を２０〜３０秒間程度振って内部のミネラル水と水素ガスとを撹拌することで、該水素ガスのミネラル水への溶解を促進させることができる。
【００７３】
本実施例のように、多孔性の無機材で板状に形成され、容器本体１０１の下部ブロックである下部上層ブロック１ｂの上面に沿って広がりを持って配置された無機材気泡微細化部３０を付加して用いることで、本考案者等の実験によれば、蓋体が装着されず上端が開放状態とされる形態とされ、容器本体１０１が振盪されなくても、例えば、１５℃以上の水温で、拡散距離をほとんど損じることなく、容器本体１０１内のミネラル水の水素の濃度は、容器本体１０１を振る撹拌動作を用いないで、水素含有量が０．８ｐｐｍ以上の（重量比）の飲料水を得ることができた。
【００７４】
飲用は、容器本体１０１を傾け、上端開口から直接に又はグラス類に注いだ上でそのグラス類から行うことができる。
【００７５】
以上において、容器本体１０１は、内部の透視が可能なプラスチック素材で構成したものであるため、水素発生剤５と水との反応によって発生した水素ガスが泡となって容器本体１０１中のミネラル水の中を浮上する様子等もまた観察可能である。  
なおまた、この実施例の携帯用の水素水生成用ポット１００によれば、容器本体１０１内に電極を配して電気分解によって水素を発生させるものではないので、以上に示したミネラル水や水道水の他に、コーヒーや茶類又はジュース類等をも水素水生成用の原水として採用することが可能である。
【００７６】
本実施例によれば、容器本体は、上述したように外部部材に固定されず、水頭方向に筒状をなし、下端部に、下部ブロックが固定されて水あるいは水を主体とした液が収容可能とされ、発生した水素ガスが液に拡散されて水素水が生成され、上端に、容器本体内を密封にして発生した水素ガスを容器本体内に保持する蓋体が装着されず、上端が開放孔とされ、持ち運び時に傾けることで該開放孔から生成された水素水の流出を可能とした開放型に形成される。
【実施例２】
【００７７】
図６〜図１０は、実施例２の形態を示す。図６（a）は、実施例２の主要構成を示し、図６（b）は、その変形例を示す。以下の説明では、図６（a）を用いて説明し、必要に応じて図６(b)について説明する。
【００７８】
実施例２の携帯用の水素水生成用ポット１００は、図６〜図８に示すように、実施例１と同様に、基本的に、内部の透視が可能な、水又は水を主成分とする液体を収容部空間を備えた容器本体１０１と、容器本体１０１に、容器本体１０１の下端部で着脱自在に装着される下部容器１０２とから構成される。
【００７９】
基本的に、容器本体１０１と、容器本体１０１の下部上層の中央部に構成した逆止め弁２３を備えたガス通路２４と、容器本体１０１の下部下層に構成した水素発生剤２５を収納する薬槽２６と、容器本体１０１の上部に構成した吐出口部２７と、吐出口部２７に着脱自在に外装する蓋体部２９とで構成したものである。逆止め弁２３を備えたガス通路２４の機能は、実施例１の 逆止め弁３を備えたガス通路４の機能と同じである。
この携帯用の水素水生成用ポット１００も、多孔性の無機材気泡微細化部３０を備え、多孔性の無機材気泡微細化部３０が容器本体１０１の底部面中央部に設置されたことを特徴とする。
【００８０】
容器本体１０１は、図６〜図８に示すように、透明なプラスチックで作成した円筒状部材２１ａと、その底部である下部上層を構成する下部上層ブロック２１ｂで構成される。下部容器１０２は、下部下層ブロックで構成され、下部ブロックに、薬槽２６を構成した下蓋２１ｃと、上部の吐出口ブロックからなる吐出口部２７とが構成される。  
下部上層ブロック２１ｂは、図６及び図７に示すように、基本的に、円筒状部材２１ａと同外径の短円柱状の部材であり、その上部外周を切り欠いて、円筒状部材２１ａの内径とほぼ一致する連結小径部２１ｂ１を構成してある。同図に示すように、円筒状部材２１ａの下部を該連結小径部２１ｂ１に外装し、容器本体１０１の底部の下部上層を構成する。円筒状部材２１ａの下部内周と該下部上層ブロック２１ｂの連結小径部２１ｂ１との結合部は接着剤で固定する。  
また下部上層ブロック２１ｂの下部もその外周部を切り欠いて小径部を形成し、その外周にねじを切って、下蓋２１ｃの連結雌ねじ部２１ｃ１と螺合する連結雄ねじ部２１ｂ２を形成しておく。また下部上層ブロック２１ｂの内部には、詳細は後述する逆止め弁２３を備えたガス通路２４を構成する。下部上層ブロック２１ｂの機能もまた実施例１の 部上層ブロック１ｂ と同じである。
【００８１】
下蓋２１ｃは、これも、図６〜図８に示すように、基本的に、円筒状部材２１ａと同外径の平面視円形の薄型部材であり、その周側に沿って立ち上げた周側板の内面にねじを切って、下部上層ブロック２１ｂの下部外周の連結雄ねじ部２１ｂ２に螺合する連結雌ねじ部２１ｃ１を形成しておく。  
下部上層ブロック２１ｂ、下部下層である下蓋２１ｃは、円筒状部材２１ａと同様に、この実施例２では、透明のプラスチック材で作成した。またこの実施例２では、容器本体１０１は、その底面を構成する下部上層ブロック２１ｂの上面から予め定めた高さまで２６０ｍｌの水を入れることができる容量にしてある。実施例１の容器本体１０１の容量の約７４％である。勿論、この容量に限定される訳ではない。
【００８２】
ガス通路２４は、図６、図７及び図９に示すように、容器本体１０１の内部と薬槽２６の内部とを繋ぐべく下部上層ブロック２１ｂの中心に構成した連通路である。
【００８３】
ガス通路２４は、その最上部を除いて、図６及び図７に示すように、弁配置部２４ａを兼ねる大径の連通路に構成してあり、この弁配置部２４ａに逆止め弁２３を装入配置する。
【００８４】
弁配置部２４ａの下部周囲には、逆止め弁２３の円筒状基部２３ａの周囲に形成した雄ねじと螺合する雌ねじが形成してあり、逆止め弁２３は、弁配置部２４ａに装入した上で、その円筒状基部２３ａの外周の雄ねじを雌ねじに螺合してその部位に固定する。ガス通路２４の最上部は、無機材気泡微細化部３０の下面に開口している。 弁配置部２４aの中央部に対応する位置に形成した小径の小孔２４bが設けてあり、この小孔 ２４bは、下部ブロック２１bの上面に面一にして開口している。
【００８５】
逆止め弁２３は、図６及び図７に示すように、弁配置部２４ａの下部に固定する円筒状基部２３ａとその上端から上方に向かって円錐状に延びる弾性弁部２３ｂとからなり、下方から一定圧を越えるガス圧が掛かると、弾性弁部２３ｂの先端が開いて該ガスが上方に向かって通過可能であり、他方、上方から容器本体１０１中の水等による水圧が掛かっても開かないように構成された弁部材である。
【００８６】
多孔性の無機材気泡微細化部３０は、多孔性の無機材３１とこれを内部で保持する保持容器３２とで構成され、気泡生成機能と気泡を微細化する機能を備えており、構成は、実施例１に記載したと同様であるので、参照するものとして繰り返して説明しない。また、仕切り板２４ｂに設けられた小孔２４bhの構成および機能は、実施例１に記載したと同様であるので、参照するものとして繰り返して説明しない。
【００８７】
小孔４bhは、設けられなくてもよい。その例が、図１（b）に示される。
【００８８】
薬槽２６は、図６、図７及び図１０に示すように、実施例１に示した薬槽６と同様であり、繰り返して説明しない。
【００８９】
水素発生剤２５についても実施例１に示された水素発生剤５と同様であり、繰り返して説明しない。 
またこのような水素ガスの発生に関しては、携帯装置として作成できるレベルでは、実施例１に関して述べたように、水との反応は、水の電気分解によるよりは短時間で行われ、多量の水素ガスをスピーディに発生させることが可能であり、この実施例２では、前記のように、約１．２ｃｃのミネラル水を、水素発生剤２５とほぼ同時に又は後者の装入の後に、薬槽２６に注入すると、その注入の時点から約３分の時間の経過で十分な量の水素ガスを発生させることができる。  
こうして発生させた水素ガスは、逆止め弁４、多孔性の無機材気泡微細化部３０を介して容器本体１０１中に移動し、その中のミネラル水に溶解しながら、その中を浮上し、溶解しなかった残余の水素ガスは、容器本体１０１中のミネラル水の上面上に形成される空間に移動することになる。この空間の水素ガス等の圧力は、こうして徐々に上昇することになるが、容器本体１０１を壊すことはない。
【００９０】
無機材３１の材質としては、セラミックス材、ガラス材あるいはプラスチック材などの無機材が使用され得るのは、実施例１で説明しており、繰り替えして記述しない。
【００９１】
本実施例のように、多孔性の無機材で板状に形成され、容器本体１０１の下部ブロックである下部上層ブロック１ｂの上面に沿って広がりを持って配置された無機材気泡微細化部３０を付加して用いることで、本考案者等の実験によれば、蓋体が装着されず上端が開放状態とされる形態とされ、容器本体１０１が振盪されなくても、例えば、１５℃以上の水温で、拡散距離をほとんど損じることなく、容器本体１０１内のミネラル水の水素の濃度は、容器本体１０１を振盪による撹拌動作を用いないで、水素含有量が０．８ｐｐｍ以上の（重量比）の飲料水を得ることができた。
【００９２】
飲用は、上端開口から直接に又はグラス類に注いだ上でそのグラス類から行うことができる。
【００９３】
本実施例によれば、本実施例によれば、容器本体は、上述したように外部部材に固定されず、水頭方向に筒状をなし、下端部に、下部ブロックが固定されて水あるいは水を主体とした液を収容可能とされ、上端に、生成された水素ガスの収容液への拡散時に固着蓋体が装着されず開放孔とされて容器本体を傾けることで該開放孔から生成された水素水の取り出しが可能とされて容器本体全体として軽量化された開放型に形成される。
【実施例３】
【００９４】
図１１は、実施例３を示す。実施例３の構成は、実施例２に示した例とほとんど同じである。図１１（a）は、図６（a）に、そして図１１（b）は、図６（b）に対応する例である。
【００９５】
図１１に、実施例２と相違する部分が示され、同一部分については、実施例２で示される図が参照される。実施例２、実施例３の例では、多孔性の無機材気泡微細化部３０が容器本体１０１の底部面上に設置されたことを特徴としていた。これに対して。実施例３では、多孔性の無機材を用いた無機材気泡微細化部３０が容器本体１０１の底部内に設置され、表面がむき出しにされた形態であり、小孔２４bhが設けられていることを特徴としている。すなわち、無機材気泡微細化部３０が下部上層ブロック２１ｂの上部部分に埋め込まれ、表面がむき出しとされ、小孔２４bhが設けられた。無機材気泡微細化部３０を保持容器内に保持することなく直接的に下部上層ブロック２１ｂの上部部分に設けた溝３５に埋め込んでいる。勿論、無機材３１を保持容器に収納してから埋め込むようにしてもよい。保持容器を用いないことで、部品点数を一つ減らすことができるばかりでなく、無機材３１の面と下部上層ブロック２１ｂとの面を図に示すように面一とすることが出来るので、水素ガスの拡散距離を容器本体１０１の円筒状部材１の縦方向に十分に確保することが出来る。この例では、逆止弁２３を出た水素ガスは、ガス通路２４から直接的に多孔性の撥水性無機材３１に導入させることが出来る。ガス通路２４の端部３６を図に示すように下側と同一の径になるような形状にしておくのがよい。
【００９６】
図１１（b）の例にあっては、多孔性の撥水性無機材を用いた無機材気泡微細化部３０が容器本体１０１の底部内に設置される。小孔２４bhが設けられていない。小孔２４bhが設けられていても構わない。
【００９７】
図１１に示す形状にあっても、実施例２に示す例と同様に、開放状態で、振盪がなされなくても微細化された水素ガス気泡の容器本体１０１の最大限の拡散距離確保によって十分に目的とした濃度、例えば０．８ｐｐｍあるいは１．２ｐｐｍ濃度の水素水を生成することができる。
【００９８】
本実施例によれば、容器本体は、上述したように外部部材に固定されず、水頭方向に筒状をなし、下端部に、下部ブロックが固定されて水あるいは水を主体とした液を収容可能とされ、上端に、生成された水素ガスの収容液への拡散時に固着蓋体が装着されず開放孔とされて容器本体を傾けることで該開放孔から生成された水素水の取り出しが可能とされて容器本体全体として軽量化された開放型に形成される。
【００９９】
実施例１−３のいずれにあっても、薬槽内に装着するものとなっているが、本考案は、これらの例に限定されず、容器本体内に収容した液体の中に設置する態様のものであってもよいし、持ち運び出来るようにした水素源を備えて水素を外部から注入するような態様のものにも適用することができる。
【符号の説明】
【０１００】
１００…水素水生成用ポット 、１０１…容器本体、１０２…下部容器、２…定量給水手段、３… 逆止め弁、４… ガス通路、５… 水素発生剤、６… 薬槽、７… 吐出口部、８… 減圧弁、１０… フィルタ抑え、１１… フィルタ、２１… 容器本体部、２３… 逆止め弁、２４… ガス通路、２５… 水素発生剤、２６… 薬槽 、３０…無機材気泡微細化部、３１…多孔性の撥水性無機材、３２…保持容器、３３，３４…ガス孔、３５…溝、３６…端部、４bh…小孔。
【図１】
0003197613.tif 000003
【図２】
0003197613.tif 000004
【図３】
0003197613.tif 000005
【図４】
0003197613.tif 000006
【図５】
0003197613.tif 000007
【図６】
0003197613.tif 000008
【図７】
0003197613.tif 000009
【図８】
0003197613.tif 000010
【図９】
0003197613.tif 000011
【図１０】
0003197613.tif 000012
【図１１】
0003197613.tif 000013